(57)【要約】【課題】消費者の購買意欲を喚起する。【解決手段】食品用容器１は、コップ状の容器胴体部２と、容器胴体部２の上部に設けられ、中央部に開口Ｋが形成された湾曲部３とを備えてなっている。湾曲部３は、例えばハイビスカスの花を模した形状を有すると共に、ハイビスカスの花の色彩と同様に赤色に彩色されている。この食品用容器１に、例えばかき氷を入れる場合には、容器胴体部２にかき氷を入れて満たした後、湾曲部３の一部にもかき氷を盛る。これによって、あたかも本物のハイビスカスが添えられているかのように感じさせると共に、色彩上も美しく、消費者に食欲を喚起させる。【選択図】　図１
0003098154.tif 000002
【実用新案登録請求の範囲】
【請求項１】
上端が開口された深底の容器胴体部と、該容器胴体部の上端縁から外方に延設され、中央部が開口された湾曲部とを備えてなり、
該湾曲部は、花を模して形成されていることを特徴とする食品用容器。
【請求項２】
前記容器胴体部と前記湾曲部とは一体的に成型されていることを特徴とする請求項１記載の食品用容器。
【請求項３】
前記湾曲部は、前記容器胴体部に着脱自在に取り付けられることを特徴とする請求項１記載の食品用容器。
【請求項４】
前記容器胴体部の側面部又は前記湾曲部の少なくとも一部は、温度に応じて光の透過率が変化する調光領域が形成された調光層を有してなり、
前記調光層のうち、前記調光領域又は前記調光領域の周囲の非調光領域は、所定の図柄又は模様を呈していることを特徴とする請求項１、２又は３記載の食品用容器。
【請求項５】
前記調光層には、所定の色光を透過させる着色層が積層されていることを特徴とする請求項４記載の食品用容器。
【請求項６】
前記調光層の前記調光領域は、液晶小滴を母材中に分散させることによって形成されていることを特徴とする請求項４又は５記載の食品用容器。
【請求項７】
前記調光層の前記調光領域は、液晶が封入されたマイクロカプセルを母材中に分散させることによって形成されていることを特徴とする請求項６記載の食品用容器。
【考案の詳細な説明】
【０００１】
【考案の属する技術分野】
この考案は、例えば、かき氷等の食品を入れるために用いて好適な使捨て型の食品用容器に関する。
【０００２】
【従来の技術】
従来より、例えば露店で、かき氷等の食品を販売する際には、これらの食品を入れる食品用容器としては、通常１回しか使用されないために、コップ形の単純な形状の紙製又は合成樹脂製の食品用容器を用いることが多かった。
この場合、消費者の注意を引くための模様や図柄等が側面に印刷された食品用容器を用いることによって、消費者の購買意欲を喚起させるようにしていた。
【０００３】
【考案が解決しようとする課題】
しかしながら、上記食品用容器では、形状が単純で味気なく、消費者の美的関心を引き付ける魅力に乏しく、この食品用容器にかき氷等を入れて販売しようとしても消費者の購買意欲を充分に引き起こさせないという問題があった。
【０００４】
この考案は、上述の事情に鑑みてなされたもので、消費者の購買意欲を喚起するために寄与することができる食品用容器を提供することを目的としている。
【０００５】
【課題を解決するための手段】
上記課題を解決するために、請求項１記載の考案に係る食品用容器は、上端が開口された深底の容器胴体部と、該容器胴体部の上端縁から外方に延設され、中央部が開口された湾曲部とを備えてなり、該湾曲部は、花を模して形成されていることを特徴としている。
【０００６】
また、請求項２記載の考案は、請求項１記載の食品用容器に係り、上記容器胴体部と上記湾曲部とは一体的に成型されていることを特徴としている。
【０００７】
また、請求項３記載の考案は、請求項１記載の食品用容器に係り、上記湾曲部は、上記容器胴体部に着脱自在に取り付けられることを特徴としている。
【０００８】
また、請求項４記載の考案は、請求項１、２又は３記載の食品用容器に係り、上記容器胴体部の側面部又は上記湾曲部の少なくとも一部は、温度に応じて光の透過率が変化する調光領域が形成された調光層を有してなり、上記調光層のうち、上記調光領域又は上記調光領域の周囲の非調光領域は、所定の図柄又は模様を呈していることを特徴としている。
【０００９】
また、請求項５記載の考案は、請求項４記載の食品用容器に係り、記調光層には、所定の色光を透過させる着色層が積層されていることを特徴としている。
【００１０】
また、請求項６記載の考案は、請求項４又は５記載の食品用容器に係り、上記調光層の上記調光領域は、液晶小滴を母材中に分散させることによって形成されていることを特徴としている。
【００１１】
また、請求項７記載の考案は、請求項６記載の食品用容器に係り、上記調光層の上記調光領域は、液晶が封入されたマイクロカプセルを母材中に分散させることによって形成されていることを特徴としている。
【００１２】
【考案の実施の形態】
以下、図面を参照して、この考案の実施の形態について説明する。説明は、実施例を用いて具体的に行う。
◇第１実施例
図１は、この考案の第１実施例である食品用容器の構成を示す斜視図、図２は、同食品用容器の構成を示す正面図、また、図３は、同食品用容器の構成を示す平面図である。
【００１３】
この例の食品用容器１は、例えば、かき氷等の食品を入れるために用いられ、図１に示すように、コップ状の深底の容器胴体部２と、容器胴体部２の上部に設けられ、中央部に開口Ｋが形成された湾曲部３とを備えてなっている。
湾曲部３は、例えばハイビスカスの花を模した形状とされていると共に、ハイビスカスの花の色彩を模して赤色に彩色されて、装飾性が与えられている。なお、この例では、容器胴体部２も赤色に彩色されている。
この例では、容器胴体部２と湾曲部３とは、例えばポリエチレンからなる合成樹脂を原料として、射出成型によって一体的に成形されている。
この食品用容器１に、かき氷を入れる場合には、容器胴体部２にかき氷を入れて満たした後、例えば湾曲部３の一部にもかき氷を盛る。この後、例えば青色に着色されたシロップ等を掛ける。これによって、あたかも本物のハイビスカスが添えられているかのように感じさせると共に、色彩上も美しく、消費者に食欲を喚起させる。
【００１４】
このように、この例の構成によれば、ハイビスカスの花を模して形成され、装飾性が与えられた湾曲部３を有していることによって、あたかも本物のハイビスカスが添えられているかのように感じさせるので、美観に優れ、消費者の購買意欲を喚起するために寄与することができる。
また、例えば単純な形状のコップ同様に、未使用の食品用容器１の中に同一種類の食品用容器１を収容していくことで、複数の食品用容器１，１，…を容易に積み重ねることができるので、持ち運びや保存の際にも、手間がかからない。
また、合成樹脂を原料として射出成型によって大量に製造可能なので、安価に製造することができる。
【００１５】
◇第２実施例
図４は、この考案の第２実施例である食品用容器の構成を示す正面図、図５は、同食品用容器の容器胴体部の構成を示す断面図、また、図６は、同容器胴体部の調光フィルムの構成を示す断面図である。
この例が上述した第１実施例と大きく異なるところは、調光のために液晶層を有する調光フィルムを付加した点である。
これ以外の構成は、上述した第１実施例の構成と略同一であるので、その説明を簡略にする。
【００１６】
食品用容器１Ａは、図４に示すように、コップ状の容器胴体部２Ａと、容器胴体部２Ａの上部に設けられた湾曲部３とを備えてなっている。
この例の容器胴体部２Ａは、図５に示すように、例えば赤色に着色された透明フィルム（着色層）４と、透明フィルム４の例えば外側に貼り付けられた調光フィルム（調光層）５とを有してなっている。
調光フィルム５は、液晶が分散されて調光がなされる調光領域５ａと、液晶が分散されていない非調光領域５ｂとからなっている。
【００１７】
調光領域５ａは、所定の図柄又は模様が象られるように形成され、温度に応じて光の透過率が変化し、上記図柄又は模様は，透明状態では視認されず、非透明状態で視認されるようにされている。この例では、透過率は、数十℃以上で略８０％、０℃付近で略数％に設定されている。
調光フィルム５は、図６に示すように、液晶（例えば、ＭＢＢＡ等のネマティック液晶）が封入されたマイクロカプセル（例えば径１〜２μｍ）６をポリママトリクス（母材）７中に分散させてなる領域を有する液晶層８と、液晶層８の両側に配設された透明層９，１１とを備えている。ここで、マイクロカプセル６が分散している領域が、調光領域５ａに対応している。
【００１８】
この例の食品用容器１Ａに、かき氷等の冷却効果を有する食品を入れる前の空の状態では、調光領域５ａにおける透過率は比較的高く、非調光領域５ｂと同様に赤色光が透過されるために、調光領域５ａの上記図柄又は模様を象った形状は、視認されない。
食品用容器１Ａに、例えばかき氷を入れると、食品用容器１Ａは冷却され、例えば温度が０℃付近まで下がり、調光領域５ａでは、入射した光が散乱されて不透明白濁状態となり、上記図柄又は模様が浮き上がって、視認されるようになる。
【００１９】
この例の構成によれば、上述した第１実施例と略同一の効果を得ることができる。
加えて、例えば、かき氷を入れることによって、温度が低下し所定の図柄が浮き上がるように構成されているので、一段と消費者の関心を引き付けることができる。
【００２０】
◇第３実施例
図７は、この考案の第３実施例である飲食用容器の構成を示す断面図、また、図８は、同飲食用容器の構成を分解して示す図である。
この例が上述した第１実施例と大きく異なるところは、容器胴体部と湾曲部とを分離可能なように構成した点である。
これ以外の構成は、上述した第１実施例の構成と略同一であるので、その説明を簡略にする。
【００２１】
食品用容器１Ｂは、図７及び図８に示すように、上端に開口Ｈａが形成されたコップ状の容器胴体部１２と、容器胴体部１２の上部に着脱自在に設けられ、中央部に開口Ｈｂが形成された湾曲部１３とを備えてなっている。
この食品用容器１には、かき氷を入れる場合には、容器胴体部１２にかき氷を入れて満たした後、例えば湾曲部１３の一部にもかき氷を盛る。この後、かき氷を食べながら、容器胴体部１２内に入っているかき氷が残り少なくなってきた場合は、湾曲部１３を取り外して食べるようにする。
【００２２】
この例の構成によれば、上述した第１実施例と略同一の効果を得ることができる。
加えて、容器胴体部と湾曲部とを分離することができるので、容器胴体部内に入っているかき氷等の食品が残り少なくなっても、湾曲部を取り外すことによって、食べ易くなる。
【００２３】
以上、この考案の実施例を図面を参照して詳述してきたが、具体的な構成はこの実施例に限られるものではなく、この考案の要旨を逸脱しない範囲の設計の変更等があってもこの考案に含まれる。
例えば、湾曲部の形状を、ハイビスカスの花を模した形状とする場合について述べたが、ハイビスカスに限らず、例えばひまわり等の花であっても良い。
また、食品用容器１に入れる食品は、かき氷に限らず、他の固定物でも流動性を有するものであっても良い。
また、食品用容器１の原料としてポリエチレンを用いる場合について述べたが、例えば、ポリプロピレンであっても良いし、ＰＥＴを用いても良い。また，射出成型によらず、例えば注型成型によって製造するようにしても良い。また、食品用容器１を紙製としても良い。
また、食品用容器１の彩色は、赤色に限らず黄色でも青色でも良いし、多色に彩色しても良い。また、彩色せずに無色透明としても良い。
また、第２実施例では、調光領域５ａを、所定の図柄又は模様が象られるように形成する場合について述べたが、非調光領域５ｂを、図柄又は模様が象られるように形成しても良い。また、湾曲部にも上記調光領域を設けるようにしても良い。
【００２４】
【考案の効果】
以上説明したように、この考案によれば、花を模して形成された湾曲部を有していることによって、美観に優れ、消費者の購買意欲を喚起するために寄与することができる。
また、例えば単純な形状のコップ同様に、未使用の食品用容器の中に同一種類の食品用容器を収容していくことで、複数の食品用容器を容易に積み重ねることができるので、持ち運びや保存の際にも、手間がかからない。
【００２５】
また、合成樹脂を原料として射出成型によって製造することによって、安価に製造することができる。
また、温度の変化（例えば冷却）によって、所定の図柄が浮き上がるように構成することによって、例えば、かき氷等の冷却効果のある食品を入れた場合に、一段と消費者の関心を引き付けることができる。
また、容器胴体部に湾曲部を着脱自在に取り付けることによって、例えば、容器胴体部内に入っている食品が残り少なくなっても、湾曲部を取り外すことによって、食べ易くなる。
【図面の簡単な説明】
【図１】この考案の第１実施例である食品用容器の構成を示す斜視図である。
【図２】同食品用容器の構成を示す正面図である。
【図３】同食品用容器の構成を示す平面図である。
【図４】この考案の第２実施例である食品用容器の構成を示す正面図である。
【図５】同食品用容器の容器胴体部の構成を示す断面図である。
【図６】同容器胴体部の調光フィルムの構成を示す断面図である。
【図７】この考案の第３実施例である飲食用容器の構成を示す断面図である。
【図８】同飲食用容器の構成を分解して示す図である。
【符号の説明】
１，１Ａ，１Ｂ　　　食品用容器
２，２Ａ　　　容器胴体部
３　　　湾曲部
４　　　透明フィルム（着色層）
５　　　調光フィルム（調光層）
５ａ　　　調光領域
５ｂ　　　非調光領域
６　　　マイクロカプセル
７　　　母材
【図１】
0003098154.tif 000003
【図２】
0003098154.tif 000004
【図３】
0003098154.tif 000005
【図４】
0003098154.tif 000006
【図５】
0003098154.tif 000007
【図６】
0003098154.tif 000008
【図７】
0003098154.tif 000009
【図８】
0003098154.tif 000010